(57)【要約】【課題】エアフィルタ取付枠のコーナー部の強度を向上させる。【解決手段】エアフィルタ取付枠１０は、複数の四角枠体が格子状に並べられて構成される。例えば、２つの四角枠体１１Ａ、１１Ｃは、その右横板１３、左横板１４同士が重ねられように並べられる。四角枠体１１Ａにおいて、下板１５の右端部には、右横板１３の内面に沿うように立設された板状の下板立設部２５が連設される。重ねられた右横板１３、左横板１４と、下板立設部２５は、互いに一致する位置に孔２７が設けられる。これら孔２７にはボトル２８が挿入され、そのボトル２８とナット２９によって、これら右横板１３、左横板１４及び下板立設部２５が連結される。【選択図】図２
2010279903.tif 000002
【特許請求の範囲】
【請求項１】
互いに対向する一対の横板と、互いに対向し、かつ前記一対の横板の端部同士を接続する一対の縦板から構成される四角枠体が、前記横板同士が重ねられるようにして複数並列されて構成されるエアフィルタ取付枠において、
前記重ねられた２枚の横板のうち一方の横板の端部に接続される前記縦板の端部には、前記一方の横板の内面に沿うように立設された板状の縦板立設部が連設され、
前記重ねられた２枚の横板及び縦板立設部は、互いに一致する位置に孔が設けられ、それら孔に挿入された連結部材によって、連結されることを特徴とするエアフィルタ取付枠。
【請求項２】
前記横板及び縦板それぞれは、その一端部から立設された板状の横板立設部、及び縦板立設部それぞれを有してＬ字形を呈しており、
前記縦板立設部それぞれは、前記横板それぞれの他端部側の内面に重ねられて連結され、
前記横板立設部それぞれは、前記縦板それぞれの他端部側の内面に重ねられて連結されることを特徴とする請求項１に記載のエアフィルタ取付枠。
【請求項３】
前記重ねられた２枚の横板は、一方の横板の前記一端部が、前記他方の横板の前記他端部に重ねられ、かつ前記一方の横板の前記他端部が、前記他方の横板の前記一端部に重ねられるように、互いに反転して配置されることを特徴とする請求項２に記載のエアフィルタ取付枠。
【請求項４】
前記一対の縦板それぞれは、その一端部が前記一対の横板それぞれの他端部に接続されるとともに、前記一対の横板それぞれは、その一端部が前記一対の縦板それぞれの他端部に接続されており、
前記重ねられた２枚の横板それぞれの前記他端部に接続される前記縦板の前記一端部それぞれには、それら横板の前記他端部側の内面に沿うように立設された板状の縦板立設部がそれぞれ連設され、
前記重ねられた２枚の横板は、一方の横板の前記一端部が、他方の横板の前記他端部に重ねられ、かつ前記一方の横板の前記他端部が、前記他方の横板の前記一端部に重ねられるように、互いに反転して配置され、
前記縦板立設部それぞれと前記重ねられた２枚の横板は、互いに一致する位置に孔が設けられ、それら孔に挿入された連結部材によって、連結されることを特徴とする請求項１に記載のエアフィルタ取付枠。
【請求項５】
前記複数の四角枠体は、格子状に並べられ、前記四角枠体が縦板同士が重ねられるようにして少なくとも２つ並列されており、
前記重ねられた２枚の縦板のうち一方の縦板の端部に接続される前記横板の端部には、前記一方の縦板の内面に沿うように立設された板状の横板立設部が連設され、
前記重ねられた２枚の縦板及び横板立設部は、互いに一致する位置に孔が設けられ、それら孔に挿入された連結部材によって、連結されることを特徴とする請求項１に記載のエアフィルタ取付枠。
【請求項６】
前記横板同士が重ねられるようにして並べられた２列の前記四角枠体が、さらに前記縦板同士が重ねられるようにして２段重ねられて、４つの前記四角枠体が格子状に並べられており、
１段目で重ねられた２枚の横板と、２段目で重ねられた２枚の横板と、１列目で重ねられた２枚の縦板と、２列目で重ねられた２枚の縦板との連結部分において、各段で重ねられた前記２枚の横板のうち、一方の横板の内面に前記縦板立設部が沿うように配置され、他方の横板に前記横板立設部が連設され、かつ各列で重ねられた前記２枚の縦板のうち一方の縦板の内面に前記横板立設部が沿うように配置され、他方の縦板に前記縦板立設部が連設されることを特徴とする請求項５に記載のエアフィルタ取付枠。
【請求項７】
前記一対の縦板それぞれは、その一端部が前記一対の横板それぞれの他端部に接続されるとともに、前記一対の横板それぞれは、その一端部が前記一対の縦板それぞれの他端部に接続されており、
前記重ねられた２枚の縦板それぞれの前記他端部に接続される前記横板の前記一端部それぞれには、それら縦板の前記他端部側の内面に沿うように立設された板状の横板立設部がそれぞれ連設され、
前記重ねられた２枚の縦板は、一方の縦板の前記一端部が、他方の縦板の前記他端部に重ねられ、かつ前記一方の縦板の前記他端部が、前記他方の縦板の前記一端部に重ねられるように、互いに反転して配置され、
前記横板立設部それぞれと前記重ねられた２枚の縦板は、互いに一致する位置に孔が設けられ、それら孔に挿入された連結部材によって、連結されることを特徴とする請求項５に記載のエアフィルタ取付枠。
【発明の詳細な説明】
【技術分野】
【０００１】
本発明は、複数のエアフィルタを空調機等に設置するためのエアフィルタ取付枠に関する。
【背景技術】
【０００２】
エアフィルタは、エアフィルタの大きさよりもやや大きい四角枠体内部に取り付けられて空調機等に設置される。また、空調機が大風量を処理する場合には、多数のエアフィルタが格子状に並べられて使用される。このような場合、上記四角枠体も、予め、エアフィルタに合わせて格子状に複数並べられ、かつその隣接する四角枠体同士がボルト・ナット等によって連結されて空調内に設置される。
【０００３】
上記空調機は、四角枠体が設置されるもののエアフィルタそのものは設置されない状態で運搬されるのが一般的であるが、多数の四角枠体で構成されるエアフィルタ取付枠は、その運搬時に振動等により各四角枠体のコーナー部に大きな応力が作用されることがある。また、使用時に風量が大きいと、各四角枠体のコーナー部に大きな応力が作用されることがあり、コーナー部で割れ等が生じることがある。
【０００４】
したがって、従来、四角枠体のコーナー部を補強する目的で、四角枠体のコーナー部における板部材の接合を、部分的な溶接から板部材の厚みを厚くして全溶接とする等の対策が講じられている。しかし、従来、このような対策により、取付枠の製作作業が煩雑になり、あるいは、取付枠の重量が重くなっていた。
【発明の概要】
【発明が解決しようとする課題】
【０００５】
そこで、本発明は以上の問題点に鑑みてなされたものであり、作業性を低下させず、また重量をほとんど重くすることなく、コーナー部の強度を溶接に頼ることなく向上させることができるエアフィルタ取付枠を提供することを目的とする。
【課題を解決するための手段】
【０００６】
本発明に係るエアフィルタ取付枠は、互いに対向する一対の横板と、互いに対向し、かつ一対の横板の端部同士を接続する一対の縦板から構成される四角枠体が、横板同士が重ねられるようにして複数並列されて構成されるエアフィルタ取付枠において、重ねられた２枚の横板のうち一方の横板の端部に接続される縦板の端部には、一方の横板の内面に沿うように立設された板状の縦板立設部が連設され、重ねられた２枚の横板及び縦板立設部は、互いに一致する位置に孔が設けられ、それら孔に挿入された連結部材によって、連結されることを特徴とする。
【０００７】
横板及び縦板それぞれは、例えば、その一端部から立設された板状の横板立設部、及び縦板立設部それぞれを有してＬ字形を呈する。この場合、縦板立設部それぞれは、横板それぞれの他端部側の内面に重ねられて連結されるとともに、横板立設部それぞれは、縦板それぞれの他端部側の内面に重ねられて連結されることが好ましい。また、重ねられた２枚の横板は、一方の横板の一端部が、他方の横板の他端部に重ねられ、かつ一方の横板の他端部が、他方の横板の一端部に重ねられるように、互いに反転して配置されていたほうが良い。
【０００８】
例えば、一対の縦板それぞれは、その一端部が一対の横板それぞれの他端部に接続されるとともに、一対の横板それぞれは、その一端部が一対の縦板それぞれの他端部に接続される。この場合、重ねられた２枚の横板それぞれの他端部に接続される縦板の一端部それぞれには、それら横板の他端部側の内面に沿うように立設された板状の縦板立設部がそれぞれ連設されるとともに、重ねられた２枚の横板は、一方の横板の一端部が、他方の横板の他端部に重ねられ、かつ一方の横板の他端部が、他方の横板の一端部に重ねられるように、互いに反転して配置される。縦板立設部それぞれと重ねられた２枚の横板は、互いに一致する位置に孔が設けられ、それら孔に挿入された連結部材によって連結される。
【０００９】
複数の四角枠体は、例えば、格子状に並べられ、少なくとも２つの四角枠体は縦板同士が重ねられるようにして並列される。この場合、重ねられた２枚の縦板のうち一方の縦板の端部に接続される横板の端部には、一方の縦板の内面に沿うように立設された板状の横板立設部が連設されるとともに、重ねられた２枚の縦板及び横板立設部は、互いに一致する位置に孔が設けられ、それら孔に挿入された連結部材によって、連結される。
【００１０】
本発明に係るフィルタ取付枠では、横板同士が重ねられるようにして並べられた２列の四角枠体が、さらに縦板同士が重ねられるようにして２段重ねられて、４つの四角枠体が格子状に並べられても良い。この場合、１段目で重ねられた２枚の横板と、２段目で重ねられた２枚の横板と、１列目で重ねられた２枚の縦板と、２列目で重ねられた２枚の縦板との連結部分において、各段で重ねられた２枚の横板のうち、一方の横板の内面に縦板立設部が沿うように配置され、他方の横板に横板立設部が連設され、かつ各列で重ねられた２枚の縦板のうち一方の縦板の内面に横板立設部が沿うように配置され、他方の縦板に縦板立設部が連設されることが好ましい。
【００１１】
例えば、一対の縦板それぞれは、その一端部が一対の横板それぞれの他端部に接続されるとともに、一対の横板それぞれは、その一端部が一対の縦板それぞれの他端部に接続される。この場合、重ねられた２枚の縦板それぞれの他端部に接続される横板の一端部それぞれには、それら縦板の他端部側の内面に沿うように立設された板状の横板立設部がそれぞれ連設され、重ねられた２枚の縦板は、一方の縦板の一端部が、他方の縦板の他端部に重ねられ、かつ一方の縦板の他端部が、他方の縦板の一端部に重ねられるように、互いに反転して配置され、横板立設部それぞれと重ねられた２枚の縦板は、互いに一致する位置に孔が設けられ、それら孔に挿入された連結部材によって、連結される。
【発明の効果】
【００１２】
本発明では、同じ四角枠体の横板及び縦板を連結するための立設部を、隣り合う２つの四角枠体の横板同士を連結するためにも使用することにより、製作工数や取付枠の重量を殆ど増加させることなく、四角枠体のコーナー部の強度を向上させることができる。
【図面の簡単な説明】
【００１３】
【図１】本発明の一実施形態に係るエアフィルタ取付枠の全体を示す斜視図である。
【図２】エアフィルタ取付枠の一部を示す分解斜視図である。
【図３】格子状に並べられた４つの四角枠体の連結部分を示す断面図である。
【発明を実施するための形態】
【００１４】
以下、本発明の一実施形態について、図面を参照しつつ説明する。図１は、本発明における一実施形態に係るエアフィルタ取付枠の全体図である。
【００１５】
エアフィルタ取付枠１０は、前後に開口された四角枠形状を呈する複数の四角枠体１１Ａ〜１１Ｆから構成される。各四角枠体１１Ａ〜１１Ｆは、その四辺それぞれが、右横板１３、左横板１４、下板（縦板）１５、上板（縦板）１６それぞれから構成される。横板１３、１４は、互いに対向して平行に配置される。下板１５、上板１６は互いに対向して平行に配置されるとともに、横板１３、１４の端部同士を接続している。なお、本明細書では、横板１３、１４が対向する方向を左右方向、下板１５、上板１６が対向する方向を上下方向として説明する。左右方向は上下方向に直交する方向である。
【００１６】
四角枠体１１Ａ〜１１Ｆは、上下方向に２段、左右方向に３列並べられ、格子状を呈する。各四角枠体１１Ａ〜１１Ｆそれぞれの後方側の開口部には、その開口部の一部を覆うフィルタ当り面１８が設けられる。フィルタ当り面１８は、板状のフラットな四角枠形に形成され、その外縁部が板１３〜１６の後端部に連設され、各四角枠体１１Ａ〜１１Ｆと一体に形成される。
【００１７】
各四角枠体１１Ａ〜１１Ｆの内部には、エアフィルタ２０が配置される。エアフィルタ２０は、各四角枠体１１Ａ〜１１Ｆの前方側の開口部から各四角枠体の内部に挿入される。エアフィルタ２０は、四角枠形のフィルタ枠２１と、そのフィルタ枠２１の内部に収納された濾材２２から構成される。四角枠形のフィルタ枠２１の背面２１Ｂには、不図示の四角枠形のガスケットが取り付けられる。エアフィルタ２０は、フィルタ枠２１の背面２１Ｂが、不図示のガスケットを介して、フィルタ当り面１８の前面１８Ｆに押さえ付けられるようにして、各四角枠体１１Ａ〜１１Ｆの内部に設置される。なお、各四角枠体１１Ａ〜１１Ｆの前端部には、フィルタ枠２１を押さえつけるためのフィルタ取付用金具１９が取り付けられる。
【００１８】
図２は、エアフィルタ取付枠の分解斜視図である。図２に示すように、横板１３、１４は、上下方向に長い矩形板形状を呈するとともに、下板１５、上板１６は左右に長い矩形板形状を呈する。各板１３〜１６は、各板１３〜１６から垂直に立設された板状の立設部（右横板立設部２３、左横板立設部２４、下板立設部２５、上板立設部２６）それぞれが、長手方向における一端部１３Ａ〜１６Ａに連設され、Ｌ字形を呈する。横板１３、１４は、立設部２３、２４が連設される一端部１３Ａ、１４Ａそれぞれが、上板１６、下板１５それぞれの長手方向における他端部１６Ｂ、１５Ｂ（立設部が設けられない端部）に接続される。同様に、下板１５、上板１６の一端部１５Ａ、１６Ａそれぞれが、横板１３、１４の長手方向における他端部１３Ｂ、１４Ｂに接続される。
【００１９】
右横板立設部２３は、右横板１３の上端部（一端部１３Ａ）から左横板１４に向けて、上板１６の内面に沿って立設される。左横板立設部２４は、左横板１４の下端部（一端部１４Ａ）から右横板１３に向けて、下板１５の内面に沿って立設される。下板立設部２５は、下板１５の右端部（一端部１５Ａ）から上板１６に向けて、右横板１３の内面に沿って立設される。また、上板立設部２６は、上板１６の左端部（一端部１６Ａ）から下板１５に向けて、左横板１４の内面に沿って立設される。
【００２０】
右横板立設部２３は、その左右方向における長さが、上板１６の長さより十分に短く、上板１６の右端部（他端部１６Ｂ）側の内面のみに重ねられる。その他の立設部２４〜２６も同様に、各板１３〜１５の他端部１３Ｂ〜１６Ｂ側の内面のみに重ねられる。
【００２１】
下板１５及び上板１６の後端部それぞれには、上板１６、下板１５に向かって垂直に立設された板状の後方立設部３５、３６が連設される。後方立設部３５、３６は、下板１５、上板１６と共に左右方向に延在し、下板１５、上板１６の左端部から右端部まで設けられる。同様に、右横板１３、左横板１４の後端部それぞれには、左横板１４、右横板１３それぞれに向かって垂直に立設された板状の後方立設部３３、３４が連設される。後方立設部３３、３４は、横板１３、１４と共に、上下に延在し、横板１３、１４の上端部から下端部まで設けられる。
【００２２】
下板１５、上板１６の後方立設部３５、３６の左端部及び右端部の端面は、両横板１３、１４の後方立設部３３、３４の上端部、下端部の端面に突き合わされる。そして、その突き合わせ部分が、後述するように、溶接等によって接合され、これら４つの後方立設部３３〜３６によって、四角枠形のフィルタ当り面１８（図１参照）が成形される。なお、これら後方立設部３３〜３６の端部は、他の後方立設部３３〜３６に突き合わせられるように、適宜切り取られ、その端面は傾斜面に形成される。
【００２３】
立設部２３〜２６、３３〜３６は、例えば、各板１３〜１６が折り曲げられて成形されるが、溶接等によって、各板１３〜１６の縁部に連設されても良い。なお、板１３〜１６及び立設部は、アルミニウム、亜鉛めっき鋼板、ガルバリウム鋼板等の金属で形成されるが、ＡＢＳ等の樹脂で形成されても良い。
【００２４】
左右方向に並列された四角枠体は、隣り合う四角枠体の横板同士１３、１４が重なられて配置される。例えば、四角枠体１１Ａの右横板１３の外面には、四角枠体１１Ｃの左横板１４が重ねられる。図２から明らかなように、右横板１３では、一端部１３Ａ（立設部が設けられる端部）が上端部になるとともに、左側板１４では、一端部１４Ａが下端部となる。すなわち、これら重ねられた横板１３、１４は、横板１３の一端部１３Ａが横板１４の他端部１４Ｂに重ねられ、かつ横板１３の他端部１３Ｂが横板１４の一端部１４Ａに重ねられるように、互いに反転して配置される。
【００２５】
また、四角枠体１１Ａの右横板１３の下端部（他端部１３Ｂ）の内面には、上記した下板立設部２５が重ねられている。したがって、四角枠体１１Ａの横板１３の下端部には、下板立設部２５、及び四角枠体１１Ｃの横板１４の下端部が重ねられることとなる。このように重ねられた下板立設部２５、横板１３、１４には、互いに一致する位置に孔２７が設けられ、それら孔２７にボルト２８が挿入される。ボルト２８はナット２９に締結され、その締結により、下板立設部２５、横板１３、１４が連結される。
【００２６】
同様に、四角枠体１１Ｃの左横板１４の上端部（他端部１４Ｂ）の内面には、四角枠体１１Ｃの上板立設部２６が重ねられる。したがって、四角枠体１１Ａの右横板１３の上端部には、四角枠体１１Ｃの左横板１４の上端部、及び上板立設部２６が重ねられる。このように重ねられた上板立設部２６、横板１３、１４には、互いに一致する位置に孔２７が設けられ、これらは孔２７に挿入されたボルト２８、及びナット２９によって連結される。
【００２７】
上下方向に並べられた四角枠体は、その隣り合う四角枠体の上板１６、下板１５が重なられて配置される。例えば、四角枠体１１Ａの上板１６の外面には、四角枠体１１Ｂの下板１５が重ねられる。横板１３、１４と同様に、これら重ねられた上板１６、下板１５は、一端部１６Ａが他端部１５Ｂに重ねられ、かつ他端部１６Ｂが一端部１５Ａに重ねられるように、互いに反転して配置される。
【００２８】
四角枠体１１Ａの上板１６の右端部（他端部１６Ｂ）の内面には、右横板立設部２３が重ねられる。そのため、四角枠体１１Ａの上板１６の右端部には、右横板立設部２３及び四角枠体１１Ｂの下板１５が重ねられる。重ねられたこれらは、上記と同様に、孔２７に挿入されたボルト及びナットによって連結される。四角枠体１１Ａの上板１６の左端部（一端部１６Ａ）にも、四角枠体１１Ｂの左横板立設部２４及び四角枠体１１Ｂの下板１５が重ねられ、これらは、上記と同様に、ボルト及びナットによって連結される。
【００２９】
なお、本実施形態では、板１３〜１６は、例えば、各板１３〜１６の端部同士が、スポット溶接等によって、仮止めされて四角枠形に組み立てられた後、上記ボルト２７とナット２８が締結されて連結されるのが好ましい。さらに、４枚の板１３〜１６が組み立てられ、或いは連結された後、下板１５、上板１６の後方立設部３５、３６の左右方向における両端が、後方立設部３３、３４の下端、上端に溶接等によって接合されて、フィルタ当り面１８が成形されることが好ましい。また、本実施形態では、隣接する四角枠体間からエアが漏れることを防止するために、重ねられた横板１３、１４（又は上板１６、下板１５）の間は、接着剤でシールされることが好ましい。
【００３０】
なお、本実施形態では、四角枠体１１Ａ、１１Ｂの連結構造、及び四角枠体１１Ａ、１１Ｃの連結構造を説明したが、他の四角枠体間の連結構造も同様であるので、その説明は省略する。
【００３１】
以上のように本実施形態では、左右方向に隣接する２つの四角枠体（例えば、四角枠体１１Ａ、１１Ｃ）の重ねられた横板１３、１４の上端部及び下端部では、板状部材が３枚重ねられることになる。同様に、上下方向に隣接する２つの四角枠体（例えば、四角枠体１１Ａ、１１Ｂ）の重ねられた上板１６、下板１５の左端部、右端部では、板状部材が３枚重ねられることになる。これにより、本実施形態では、横板（右横板１３又は左横板１４）の端部及び縦板（下板１５又は上板１６）の端部で形成される、各四角枠体のコーナー部が補強されることとなる。
【００３２】
また、本実施形態では、同じ四角枠体における横板及び縦板を連結するための立設部は、隣接する２つの四角枠体の横板同士（又は縦板同士）を連結するためにも使用される。そのため、エアフィルタ取付枠１０の部品点数や作業工数を増加させることなく、四角枠体のコーナー部の強度を向上させることができる。
【００３３】
そして、本実施形態では、図３に示すように、格子状に並べられた４つの四角枠体（図３では、四角枠体１１Ａ〜１１Ｄ）の４つのコーナー部が連結される連結部分Ｐにおいて、コーナー部を形成する全ての横板１３、１４の端部及び縦板１５、１６の端部に３枚の板が重ねられることとなる。このような連結部分Ｐは、運搬時の振動や風圧によって応力が作用されやすい箇所であるが、これらコーナー部を構成する全ての板の端部は、重ねられた３枚の板状部材によって補強され、コーナー部における割れ等が生じにくくなる。
【００３４】
詳述すると、上記連結部分Ｐは、１段目で重ねられた四角枠体１１Ａ、１１Ｃの横板１３、１４と、２段目で重ねられた四角枠体１１Ｂ、１１Ｄの横板１３、１４と、１列目で重ねられた四角枠体１１Ａ、１１Ｂの２枚の縦板１６、１５と、２列目で重ねられた四角枠体１１Ｃ、１１Ｄの縦板１６、１５との連結部分である。連結部分Ｐでは、各段で重ねられた２枚の横板１３、１４のうち、一方の横板の端部の内面には縦板の立設部（立設部２５又は２６）が重ねられるとともに、他方の横板には縦板の立設部が重ねられず、立設部（横板立設部２３又は２４）が立設される。同様に、各列で重ねられた２枚の縦板１６、１５のうち、一方の縦板の端部の内面には横板の立設部（横板立設部２３又は２４）が重ねられるとともに、他方の縦板には立設部が重ねられず、立設部（縦板立設部２５又は２６）が立設される。
【００３５】
すなわち、連結部分Ｐでは、重ねられた２枚の板（横板１３、１４又は横板１５、１６）は、一方の板の内面に別の板の立設部が重ねられるとともに、他方の板の内面に立設部が重ねられず、その代わりに端部から立設部が立設される。そして、その立設部が上記一方の板の内面に重ねられる。これにより本実施形態では、連結部分Ｐを構成する板部材の端部のすべてが３枚の板状部材が重ねられるようになる。
【００３６】
なお、他の四角枠体の横板、縦板に重ねられない板１３〜１６の他端部１３Ｂ〜１６Ｂにも、同じ四角枠体の立設部が重ねられ、その重ねられた板と立設部は、孔２７に挿入したボルトとナットによって連結される。ただし、この連結部分で板状部材が３枚重ねられることはない。例えば、四角枠１１Ａの左横板１４の上端部（他端部１４Ｂ）には、四角枠体１１Ａの上板立設部２６が重ねられ、これらはボルト及びナットで連結される。しかし、左横板１４にはその他の四角枠体の横板及び縦板が重ねられないため、この連結部分では２枚の板状部材（左横板１４及び上板立設部２６）が重ねられるのみである。また、四角枠体１１Ａの下板１５に関しても同様である。
【００３７】
なお、本実施形態では、孔２７に挿入され、３枚の板（例えば、横板１３、１４、及び下板立設部２５）を連結する部材は、ボルト２８であったが、ネジ、釘、リベット等他の連結部材が使用されてもよい。さらに、本実施形態では、エアフィルタ取付枠は、複数の四角枠体が並べられていれば、四角枠体の数はいくつでも良い。
【符号の説明】
【００３８】
１０  エアフィルタ取付枠
１１Ａ〜１１Ｆ  四角枠体
１３  右横板
１４  左横板
１５  下板（縦板）
１６  上板（縦板）
２３  右横板立設部
２４  左横板立設部
２５  下板立設部（縦板立設部）
２６  上板立設部（縦板立設部）
２７  孔
２８  ボルト（連結部材）
【図１】
2010279903.tif 000003
【図２】
2010279903.tif 000004
【図３】
2010279903.tif 000005